(57)【要約】【課題】取付面からの押ボタンの頂部までの高さを短くすることができる非常停止用押ボタンスイッチを提供する。【解決手段】山形の頭部１２を有し、軸方向に移動可能な押ボタン１１と、この押ボタンをその頭部先端を押ボタンの軸方向のストローク分突出させた状態で支持する支持筒体１５とを有する操作部１０と、この操作部によって操作される接点部２０とを備え、前記支持筒体１５は、押ボタンを突出させる端面の外周面に半径方向に突出する係合部１６を有し、この係合部を取付面に形成した挿入孔の周囲に当接させた状態で固定される。【選択図】図１
2017224555.tif 000002
【特許請求の範囲】
【請求項１】
山形の頭部を有し、軸方向に移動可能な押ボタンと、該押ボタンをその頭部先端を当該押ボタンの軸方向のストローク分突出させた状態で支持する支持筒体とを有する操作部と、
該操作部によって操作される接点部とを備え、
前記支持筒体は、前記押ボタンを突出させる端面の外周面に半径方向に突出する係合部を有し、該係合部を取付面に形成した挿入孔の周囲に当接させた状態で固定される
ことを特徴とする非常停止用押ボタンスイッチ。
【請求項２】
前記押ボタンの頭部は、頂部から末広がりに延長する円錐傾斜外面と、この円錐傾斜外面に形成された少なくとも１つの窪み部とを有することを特徴とする請求項１に記載の非常停止用押ボタンスイッチ。
【請求項３】
前記操作部の支持筒体に設けられて前記押ボタンをストローク分押圧したロック位置にロックアウトするロックアウト部材と、該ロックアウト部材で押ボタンをロック位置とした状態で施錠する施錠部材とを備えていることを特徴とする請求項１又は２に記載の非常停止用押ボタンスイッチ。
【請求項４】
前記ロックアウト部材は、前記押ボタンの頭部を覆う板部を有し、該板部が前記支持筒体に押ボタンを覆って前記ロック位置とするロックアウト位置と、押ボタンを開放したロックアウト解除位置とに移動可能に支持されていることを特徴とする請求項３に記載の非常停止用押ボタンスイッチ。
【請求項５】
前記施錠部材は、南京錠及びシザースロックの何れかで構成されていることを特徴とする請求項３又は４に記載の非常停止用押ボタンスイッチ。
【発明の詳細な説明】
【技術分野】
【０００１】
本発明は、非常時に負荷を停止させる非常停止用押ボタンスイッチに関する。
【背景技術】
【０００２】
非常停止用押ボタンスイッチは、制御盤、配電設備、電気機械設備等に配置され、緊急時や機械の保守点検時などに押ボタンを押圧操作して負荷回路を強制開路し、且つ開路状態を自己保持（ロック）する機能を有している。
このような非常停止用押ボタンスイッチとして、例えば特許文献１に記載されている非常停止スイッチが提案されている。
【０００３】
この特許文献１に記載された非常停止スイッチは、スイッチケースにキノコ状に形成された押ボタンが装着されており、スイッチケースが制御盤や配電盤等に設けられたパネルに装着されている。押ボタンは、頂壁から垂設した嵌合筒に弾性ワイヤを取付け、この弾性ワイヤをスイッチケースに形成した係合突部の錠面に係合させ、弾性ワイヤを、押ボタンの押し込みで、係合突部を乗り越えさせて係合突部の下面に係止してロックするようにしている。
【先行技術文献】
【特許文献】
【０００４】
【特許文献１】特開２００３−３２３８２６号公報
【発明の概要】
【発明が解決しようとする課題】
【０００５】
ところで、特許文献１に記載された非常停止スイッチでは、スイッチケースの上端側に形成したフランジ部の下面を、弾性部材を介してパネル等の取付面に取付けたときに、パネルの取付面から押ボタンの頂部までの高さが高くなり、しかも押ボタンの頂部がキノコ形をしているため、押ボタンの突出部に作業者や工具などが接触して誤操作や破損を生じることがある。
【０００６】
さらに、押ボタンを覆うように押ボタンのロック状態を保持するロックアウト器具を取付けた場合には、取付面からの高さがさらに増すことにより、物を引っ掛けたり、ぶつかったりしてより破損し易くなる。
そこで、本発明は、上記従来例の課題に着目してなされたものであり、取付面からの押ボタンの頂部までの高さを短くすることができる非常停止用押ボタンスイッチを提供することを目的としている。
【課題を解決するための手段】
【０００７】
上記目的を達成するため、本発明に係る非常停止用押ボタンスイッチの一態様は、山形の頭部を有し、軸方向に移動可能な押ボタンと、この押ボタンをその頭部先端を押ボタンの軸方向のストローク分突出させた状態で支持する支持筒体とを有する操作部と、この操作部によって操作される接点部とを備え、支持筒体は、押ボタンを突出させる端面の外周面に半径方向に突出する係合部を有し、この係合部を取付面に形成した挿入孔の周囲に当接させた状態で固定されている。
【発明の効果】
【０００８】
本発明の一態様によれば、取付面から突出する部分が押ボタンの頂部の軸方向ストローク分と係合部とで済むことにより、押ボタンの頂部の取付面からの突出高さを押ボタンの軸方向のストローク分に抑えることができ、押ボタンの頂部への作業者や工具の接触を抑制し、誤操作や破損を抑制することができる。
【図面の簡単な説明】
【０００９】
【図１】本発明の一実施形態に係る非常停止用押ボタンスイッチを示す側面図である。
【図２】非常停止用押ボタンスイッチを取付パネルに装着した状態の斜視図である。
【図３】非常停止用押ボタンスイッチの分解斜視図である。
【図４】図１の操作部の拡大断面図である。
【図５】非常停止用押ボタンスイッチの正面図である。
【図６】非常停止用押ボタンスイッチの取付状態の側面図である。
【図７】ロックアウト部材を装着した状態のロックアウト開放状態を示す斜視図である。
【図８】ロックアウト部材を装着した状態のロックアウト状態を示す斜視図である。
【図９】ロックアウト部材のロックアウト状態で施錠部材を取付ける前の状態を示す側面図である。
【発明を実施するための形態】
【００１０】
次に、図面を参照して、本発明の一実施の形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。又、図面相互間においても互いの寸法の関係や比率が異なる部分が含まれていることはもちろんである。
【００１１】
また、以下に示す実施の形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
本発明に係る非常停止用押ボタンスイッチの第１の実施の形態をについて説明する。
【００１２】
以下、図面を参照して本発明の一実施形態を説明する。
非常停止用押ボタンスイッチ１は、図１に示すように、操作部１０と接点部２０とを備えている。
操作部１０は、図２〜図４に示すように、押ボタン１１と、この押ボタン１１を軸方向及び回転方向の両方に移動可能に支持する支持筒体１５とで構成されている。
【００１３】
押ボタン１１は、側面から見て円錐台形状となる山形の頭部１２と、この頭部１２の図４で見て底面側から下方に延長する操作軸部１３とを備えている。
頭部１２は、平坦な円形の頂部１２ａと、この頂部１２ａから末広がり状に延長する円錐傾斜外面１２ｂと、この円錐傾斜外面１２ｂの大径端部に連接する長さが短い円柱部１２ｃと、円錐傾斜外面１２ｂに所定間隔で形成された４つの窪み部１２ｄとを備えている。
【００１４】
操作軸部１３は、頭部の円柱部１２ｃの下面から下方に突出延長している。
支持筒体１５は、図４に示すように、押ボタン１１の頭部１２の頂部１２ａ側の端面外周面に半径方向に外方に延長する係合部としてのフランジ部１６が形成されており、このフランジ部１６の下側から反対側の端面にかけてナット２１が螺合される雄ねじ部１７が形成されている。この反対側の端面は中心開口１８ａを有する端板部１８で閉塞されており、端板部１８の中心開口１８ａの周囲から下方に連結筒体１９が延長されている。この連結筒体１９内には押ボタン１１の操作軸部１３が挿通されている。
【００１５】
接点部２０は、支持筒体の連結筒体１９に固定され、内部に図示しないが押ボタン１１の操作軸部１３を押ボタン１１の頭部が突出状態となるように軸方向に付勢する軸方向弾性部材と、捻回方向に付勢する捻回方向弾性部材とが配置されている。さらに接点部２０の内部には、同様に図示しないが押ボタン１１が軸方向弾性部材によって上方に付勢されたロック解除位置にある状態で閉路し、このロック解除位置から押ボタン１１を軸方向弾性部材に抗して押し込んでロック位置としたときに開路する接点機構が配置されている。
【００１６】
そして、上記構成を有する非常停止用押ボタンスイッチ１がナット２１によって支持筒体１５の下端側を制御盤、配電設備、電気機械設備等に設けられた取付面となる取付パネル２２に固定される。
この非常停止用押ボタンスイッチ１の取付パネル２２への固定は、支持筒体１５からナット２１を取り外した状態で、下面の雄ねじ部１７側からリング状のパッキン２３を装着する。この状態で、非常停止用押ボタンスイッチ１を、取付パネル２２の表面側からこの取付パネル２２に形成された挿入孔２２ａ内に支持筒体１５の雄ねじ部１７側から挿入し、支持筒体１５のフランジ部１６を、パッキン２３を介して挿入孔２２ａの周囲に当接させる。
【００１７】
この状態で、取付パネル２２の裏面側からナット２１を支持筒体１５の雄ねじ部１７に螺合させて締め付けることにより、非常停止用押ボタンスイッチ１を取付パネル２２に取付けることができる。
この非常停止用押ボタンスイッチ１の取付パネル２２への取付状態では、図５及び図６に示すように、取付パネル２２の取付面が垂直面であるものとすると、取付パネル２２の表面側には、パッキン２３、支持筒体１５のフランジ部１６及び押ボタン１１の頭部１２が突出することになる。
【００１８】
ここで、前述したように、押ボタン１１の頭部１２が山形に形成されている。そして、頂部１２ａの突出高さＨが、押ボタン１１の押し込みによって接点部２０の接点機構を閉路状態から開路状態とするために必要とする軸方向の必要ストロークである例えば１０ｍｍに設定され、頂部１２ａ及び円錐傾斜外面１２ｂ及び窪み部１２ｄのみが支持筒体１５の端部から突出している。また、押ボタン１１の正面から見た頭部１２の最大直径Ｄが手のひらの大きさに相当する例えば８０ｍｍに設定されている。
【００１９】
このため、非常停止用押ボタンスイッチ１を取付パネル２２に取付けた状態で、取付パネル２２の表面側に物体が引っ掛かる部位がないとともに、押ボタン１１の頭部１２の突出高さＨが低く、押ボタン１１の頭部が裾野の広い末広がり状の山形であるので、作業者や工具と接触することを抑制することができる。したがって、誤操作や破損を免れることができる。
【００２０】
この場合、非常停止用押ボタンスイッチ１の突出高さＨを低くするために、取付パネル２２には挿入孔２２ａを形成するだけで、押ボタン１１を収納する凹部等を形成する必要がなく、非常停止用押ボタンスイッチ１を装着するだけで、突出高さＨを抑制することができる。
また、非常停止用押ボタンスイッチ１を操作するには、操作者が手のひらで押ボタン１１の頭部１２を必要ストローク分押し込むことにより、押ボタン１１が押し込まれてロック位置に達するとロックされる。このように押ボタン１１がロック位置まで押し込まれることにより、接点部２０の接点機構が閉路状態から開路状態となり、負荷への電力供給が停止されて負荷の稼働が停止される。
【００２１】
この非常停止のロック状態では、押ボタン１１が支持筒体１５内に押し込まれて頂部１２ａが支持筒体１５の端面と略面一の状態となっている。そして、このロック状態を解除するには、押ボタン１１の頭部１２に窪み部１２ｄが形成されているので、対向する２つの窪み部１２ｄに親指及び人指し指を挿入してから押ボタン１１を頂部１２ａに表示されている解除矢印の方向に捻回方向弾性部材に抗して捻回することにより、リセットすなわちロック解除して軸方向弾性部材によってロック解除位置に戻すことができる。
【００２２】
このように、上記第１の実施形態によれば、押ボタン１１のロック解除状態でも、押ボタン１１の頂部１２ａの取付パネル２２の表面からの高さを低く抑えることができ、押ボタン１１の頭部が山形であるので、作業者や工具と接触することを抑制することができる。したがって、非常停止用押ボタンスイッチ１の誤操作や破損を免れることができる。
次に、本発明に係る非常停止用押ボタンスイッチの第２の実施形態について図７〜図９を伴って説明する。
【００２３】
この第２の実施形態は、非常停止用押ボタンスイッチ１にロック状態を維持するロックアウト部材を装着したものである。
すなわち、第２の実施形態では、図７〜図９に示すように、非常停止用押ボタンスイッチ１の支持筒体１５のフランジ部１６に支持部３１が形成されているとともに、この支持部３１と対向する位置に挿通孔３２ａを有するロック片３２が形成されている。ここで、支持部３１は、図７に示すように、取付パネル２２の表面に沿うように半径方向に突出している。この支持部３１の先端には、ロックアウト部材４０が回転可能に支持されている。ロックアウト部材４０はロック位置にある押ボタン１１の頭部１２における頂部１２ａを覆うことが可能な円板部４１と、この円板部４１から半径方向に突出する支持部４２と、円板部４１の支持部４２と対向する周縁部に固定された挿通孔４３ａを有するロック片４３とを備えている。そして、支持部４２が操作部１０の支持筒体１５の支持部３１に連結ピン４４で取付パネル２２と平行な平面内で回転可能に支持されている。
【００２４】
この第２の実施形態によると、非常停止用押ボタンスイッチ１をロックアウト部材４０が下方のロックアウト解除位置となるように取付パネル２２に第１の実施形態と同様にして取付ける。そして、通常時は、図７に示すように、ロックアウト部材４０の円板部４１を下方に回転させた状態とし、押ボタン１１は図７の状態から突出するロック解除位置にある。
【００２５】
この通常状態から、機械の保守点検時などのように比較的長時間停止状態を維持する場合には、先ず、図７に示すように、非常停止用押ボタンスイッチ１の押ボタン１１をロック位置まで押し込んでロック状態とする。この押ボタン１１をロック状態とすると、図９に示すように、押ボタン１１の頭部１２における頂部１２ａが支持筒体１５の上端と略面一となる。
【００２６】
この状態で、連結ピン４４を支点としてロックアウト部材４０の円板部４１を時計方向又は反時計方向に回転させ、図８及び図９に示すように、ロック片４３を支持筒体１５のロック片３２に接触させる。この状態では、円板部４１によって押ボタン１１が覆われて外部に露出しないロックアウト状態となる。このロックアウト状態で、ロック片３２の挿通孔３２ａ及びロック片４３の挿通孔４３ａに図８に示すように南京錠４５の掛け金４５ａを挿通して施錠する。
【００２７】
このロックアウト状態では、非常停止用押ボタンスイッチ１は、支持筒体１５のフランジ部１６が取付パネル２２の表面に突出し、このフランジ部１６を覆うようにロックアウト部材４０が配置され、このロックアウト部材４０の上に南京錠４５が配置される。このため、南京錠４５の取付パネル２２の取付面からの高さはロック片３２及び４３を含めても、図９に一点鎖線で示す通常時の押ボタン１１の頂部１２ａより低くなる。
【００２８】
なお、ロックアウト状態を解除するには、南京錠４５を解錠してロックアウト部材４０を図７の位置に回転させればよい。
このように、第２の実施形態によれば、ロックアウト部材４０によるロックアウト状態でも取付パネル２２の表面からのロックアウト部材４０及び南京錠４５を含めた高さを通常時の押ボタン１１のロック解除位置より低くすることができ、物が引っ掛かったり、工具等が接触したりすることを抑制できる。
【００２９】
なお、上記第２の実施形態では、施錠部材として南京錠４５を適用した場合について説明したが、これに限定されるものではなく、シザースロック等の他の施錠部材を適用することができる。
また、上記第２の実施形態では、ロックアウト部材４０を取付パネル２２と平行な面内で回転させる場合について説明したが、これに限定されるものではなく、ロックアウト部材４０を図７の状態からロック片４３が取付パネル２２から離れるように取付パネル２２と直行する面内で回転させてロックアウト位置に移動させるようにしてもよい。
【００３０】
また、ロックアウト部材４０は円板部４１を方形や楕円形に形成することもできる。
さらに、上記第１及び第２の実施形態においては、押ボタン１１の頭部１２に４つの窪み部１２ｄを形成した場合について説明したが、窪み部１２ｄは１つ以上任意数形成することができる。また、円錐傾斜外面１２ｂは、必ずしも正確な円錐面である必要はなく、断面で見て凹又は凸の円弧面とすることもできる。
【００３１】
また、上記第１及び第２の実施形態では、フランジ部１６を支持筒体１５の端部に形成した場合について説明したが、これに限定されるものではなく、端部より少し他端側に形成するようにしてもよい。
以上、本発明を上記一実施形態に基づき具体的に説明したが、本発明は上記一実施形態に限定されるものではなく、その要旨を逸脱しない範囲において種々変更可能であることは勿論である。
【符号の説明】
【００３２】
１…非常停止用押ボタンスイッチ、１０…操作部、１１…押ボタン、１２…頭部、１２ａ…頂部、１２ｂ…円錐傾斜外面、１２ｃ…円柱部、１２ｄ…窪み部、１５…支持筒体、１６…フランジ部、１７…雄ねじ部、１８…端板部、１９…連結筒体、２０…接点部、２１…ナット、２２…取付パネル、２２ａ…挿入孔、２３…パッキン、３１…支持部、３２…ロック片、４０…ロックアウト部材、４１…円板部、４２…支持部、４３…ロック片、４４…連結ピン、４５…南京錠
【図１】
2017224555.tif 000003
【図２】
2017224555.tif 000004
【図３】
2017224555.tif 000005
【図４】
2017224555.tif 000006
【図５】
2017224555.tif 000007
【図６】
2017224555.tif 000008
【図７】
2017224555.tif 000009
【図８】
2017224555.tif 000010
【図９】
2017224555.tif 000011